(57)【特許請求の範囲】
【請求項１】
本体ケースの前面に、映像を表示する映像表示部が設けられているとともに、前記本体ケース内に、前記映像表示部に映像を表示するための液晶表示装置と、前記液晶表示装置における表示動作や他のインターホン機器との間での通話動作を制御する制御基板とが内蔵されたインターホン機器であって、
前記液晶表示装置を支持する液晶支持部材が、前記制御基板の表面上に設置されているとともに、
前記本体ケースの前面に露出する第１操作部、及び前記第１操作部の上端若しくは前記第１操作部よりも上側に設けられ、前記第１操作部の後側への押し込み操作の支点となる第１支点部を有し、前記第１操作部の押し込み操作により前記制御基板上に設けられた第１スイッチを操作可能な第１ボタンと、前記本体ケースの周面に露出する第２操作部、及び前記第２操作部の前端若しくは前記第２操作部よりも前側に設けられ、前記第２操作部の前記周面に直交する方向における前記本体ケース内側への押し込み操作の支点となる第２支点部を有し、前記第２操作部の押し込み操作により前記制御基板上に設けられた第２スイッチを操作可能な第２ボタンとが、前記液晶支持部材に一体成形されていることを特徴とするインターホン機器。
【発明の詳細な説明】
【技術分野】
【０００１】
本発明は、たとえば居室内に設置され、インターホン子機からの呼び出しに応答するインターホン親機等といったインターホン機器に関するものである。
【背景技術】
【０００２】
従来、たとえば居室内に設置されるインターホン親機には、たとえば特許文献１に記載されているように、インターホン子機により撮像された映像を表示するための液晶表示装置や、インターホン子機からの呼び出しに応答するための応答ボタンが備えられている。
【先行技術文献】
【特許文献】
【０００３】
【特許文献１】特開２００７−９６５０１号公報
【発明の概要】
【発明が解決しようとする課題】
【０００４】
近年、特にインターホン親機等には、応答ボタン等の通話ボタンに加え、各種設定を行うための種々の機能ボタンが設けられることがある。しかしながら、ただ単にボタンの数を増やしてしまうと、当然ながら部品点数が増加することになり、インターホン機器の組み立て作業が煩わしいといった問題が生じてしまう。
【０００５】
そこで、本発明は、上記問題に鑑みなされたものであって、種々のボタンを備えているにも拘わらず、部品点数の増加を抑えることができるインターホン機器を提供しようとするものである。
【課題を解決するための手段】
【０００６】
上記目的を達成するために、本発明のうち請求項１に記載の発明は、本体ケースの前面に、映像を表示する映像表示部が設けられているとともに、本体ケース内に、映像表示部に映像を表示するための液晶表示装置と、液晶表示装置における表示動作や他のインターホン機器との間での通話動作を制御する制御基板とが内蔵されたインターホン機器であって、液晶表示装置を支持する液晶支持部材が、制御基板の表面上に設置されているとともに、本体ケースの前面に露出する第１操作部、及び第１操作部よりも上側に設けられ、第１操作部の後側への押し込み操作の支点となる第１支点部を有し、第１操作部の押し込み操作により制御基板上に設けられた第１スイッチを操作可能な第１ボタンと、本体ケースの周面に露出する第２操作部、及び第２操作部よりも前側に設けられ、第２操作部の周面に直交する方向における本体ケース内側への押し込み操作の支点となる第２支点部を有し、第２操作部の押し込み操作により制御基板上に設けられた第２スイッチを操作可能な第２ボタンとが、液晶支持部材に一体成形されていることを特徴とする。
請求項１に記載の発明によれば、本体ケースの前面に操作部が露出しており、後側への押し込み操作によりスイッチを操作する第１ボタンと、本体ケースの周面に操作部が露出しており、周面に直交する方向での本体ケース内側への押し込み操作によりスイッチを操作する第２ボタンとが、液晶支持部材に一体成形されている。したがって、操作方向の異なる複数種類のボタンが備えられているにも拘わらず、部品点数の増加を抑えることができ、インターホン機器の組み立て作業の簡素化を図ることができる。
【発明の効果】
【０００７】
本発明によれば、液晶表示装置を支持する液晶支持部材を、制御基板の表面上に設置するとともに、本体ケースの前面に露出する第１操作部、及び第１操作部よりも上側に設けられ、第１操作部の後側への押し込み操作の支点となる第１支点部を有し、第１操作部の押し込み操作により制御基板上に設けられた第１スイッチを操作可能な第１ボタンと、本体ケースの周面に露出する第２操作部、及び第２操作部よりも前側に設けられ、第２操作部の周面に直交する方向における本体ケース内側への押し込み操作の支点となる第２支点部を有し、第２操作部の押し込み操作により制御基板上に設けられた第２スイッチを操作可能な第２ボタンとを、液晶支持部材に一体成形している。したがって、操作方向の異なる複数種類のボタンを備えているにも拘わらず、部品点数の増加を抑えることができ、インターホン機器の組み立て作業の簡素化を図ることができる。
【図面の簡単な説明】
【０００８】
【図１】インターホン親機を前側から示した斜視説明図である。
【図２】インターホン親機の本体ケース内部を前側から示した説明図である。
【図３】インターホン親機の本体ケース内部を前側から示した斜視説明図である。
【図４】インターホン親機の本体ケース内部を右側から示した説明図である。
【図５】インターホン親機の本体ケース内部を後側から示した斜視説明図である。
【図６】インターホン親機の機能ボタン部分における左右方向での断面を示した説明図である。
【発明を実施するための形態】
【０００９】
以下、本発明の一実施形態となるインターホン親機について、図面にもとづき詳細に説明する。
【００１０】
図１は、インターホン親機１を前側から示した斜視説明図である。図２は、インターホン親機１から前ケース２及び液晶表示装置１０を取り外した状態を前側から示した説明図である。図３は、インターホン親機１から前ケース２及び液晶表示装置１０を取り外した状態を前側から示した斜視説明図である。図４は、インターホン親機１から前ケース２及び液晶表示装置１０を取り外した状態を右側から示した斜視説明図である。図５は、インターホン親機１から前ケース２及び液晶表示装置１０を取り外した状態を後側から示した斜視説明図である。図６は、インターホン親機１の機能ボタン８部分における左右方向での断面を示した説明図である。
【００１１】
インターホン親機１は、前側に配置される前ケース２と、後側に配置される後ケース３とを組み付けてなる本体ケースを有している。この本体ケースの前面上部には、液晶表示装置１０の画面が露出しており、インターホン子機（図示せず）で撮像された映像等を表示するための映像表示部４とされている。また、映像表示部４の右側には、居住者が来訪者と通話等するためのマイク部５が設けられている。さらに、映像表示部４の下側には、インターホン子機１からの呼び出しに応答する際等に、居住者が操作する応答ボタン６が後側へ押し込み操作可能に設けられている。また、応答ボタン６の更に下側には、居住者が来訪者と通話等するためのスピーカ部７が設けられている。加えて、インターホン親機１の右側面には、インターホン親機１の照明灯（図示せず）を点灯させたり、通話に係る音量を調整したりするための機能ボタン８、８が左側へ押し込み操作可能に設けられている。そして、このようなインターホン親機１は、居室内の壁面等に設置されており、インターホン子機からの呼び出しに応じて応答ボタン６を操作すると、映像表示部４に映像が表示されるとともにインターホン子機との間で通話可能な状態となる。
【００１２】
ここで、本発明の要部となるインターホン親機１におけるボタンの構造について詳細に説明する。
インターホン親機１の本体ケース内には、インターホン親機１の動作（インターホン子機との間での通話動作等）を制御する制御基板２０が内蔵されている。また、制御基板２０の前側に、作動フレーム体１１を介して液晶表示装置１０が設置されており、当該作動フレーム体１１に応答ボタン６等が設けられている。作動フレーム体１１は、本体ケース内の上部から下部にかけて広範囲にわたり配置される弾性を有する合成樹脂製の部材である。そして、この作動フレーム体１１には、液晶表示装置１０を支持するための液晶支持部１２、応答ボタン６、及び機能ボタン８、８が一体成形により設けられている。
【００１３】
応答ボタン６は、液晶支持部１２の下方に設けられており、液晶支持部１２から下側へ延設された板状の基部２１と、基部２１の表面から前側へ膨出しており、本体ケースの前面に露出する操作部２２と、操作部２２の後面から後側へ突設された操作突起２３と、基部２１の後面側での上端部に後側へ立設された支点リブ２４とを有している。そして、応答ボタン６は、作動フレーム体１１の制御基板２０の前側への設置に伴い、支点リブ２４が先端を制御基板２０の表面に当接し、操作部２２が制御基板２０の前側、特に制御基板２０の表面に配されたスイッチ５１の前側に浮いた状態となる。そこで、操作部２２を後側へ押し込み操作すると、支点リブ２４を支点として操作部２２の特に下部が後側へ押し込まれ、操作突起２３がスイッチ５１に接触してスイッチ５１が操作される。また、操作部２２の押し込みを解除すると、基部２１の弾性力によって押し込み前の位置へ復帰する。
【００１４】
一方、液晶支持部１２から右側へ、板状の基部３１が延設されているとともに、該基部３１の右側縁部には、上下方向に所定幅を有する切り欠き３２、３２が上下に２つ並設されている。そして、各切り欠き３２毎に機能ボタン８が設けられている。機能ボタン８は、切り欠き３２の上側や下側における右側への突出部である一組の支持片３３、３３（なお、切り欠き３２、３２間にある支持片３３は、両機能ボタン８、８に共用される）と、右側へ膨出する膨出部を備えているとともに、支持片３３、３３の先端同士の間に前後で起立するような姿勢で位置しており、本体ケースの右側面に露出する操作部３４と、操作部３４の内面（左面）から切り欠き３２内側へ突設された操作突起３５と、操作部３４と各支持片３３の先端とを連結する２つの連結片３６、３６と、操作部３４の上下両側から後側へ延設された補助突起３７、３７とを有している。なお、各支持片３３の先端は、操作部３４の前端よりも前側に位置している。
【００１５】
このような機能ボタン８、８は、作動フレーム体１１の制御基板２０の前側への設置に伴い、基部３１側が制御基板２０の表面に当接し、操作部３４、３４が制御基板２０の側方、特に制御基板２０の後面右側縁部に配されたスイッチ５２、５２の外側に浮いた状態となる。そこで、操作部３４を左側へ押し込み操作すると、支持片３３、３３の先端を支点として操作部３４の特に後部が左側へ押し込まれ、操作突起３５がスイッチ５２に接触してスイッチ５２が操作される。また、操作部３４の押し込みを解除すると、連結片３６、３６の弾性力によって押し込み前の位置へ復帰する。
【００１６】
なお、前ケース２の後面には、後側へ突出する４つの補助リブ１５、１５・・が設けられている。この補助リブ１５、１５・・は２つで一組となり、インターホン親機１の組み立てに伴い、夫々対応する機能ボタン８の補助突起３７、３７の左側（本体ケース内側）に近接する（本実施形態では０．４ｍｍ）ようになっている。当該補助リブ１５、１５は、連結片３６が破断していない状況では機能ボタン８の押し込み操作時に何ら関与しないものの、何れか一方の連結片３６が破断していると、機能ボタン８を押し込み操作した際に、破断した側の補助突起３７が補助リブ１５に接触する。そして、使用者にクリック感に似た操作感を与えるようになっている。
【００１７】
以上のような構成を有するインターホン親機１によれば、本体ケースの前面に露出しているとともに、後側への押し込み操作により制御基板２０上に設けられたスイッチ５１を操作可能な応答ボタン６と、本体ケースの右側面に露出しており、左側（本体ケース内側）への押し込み操作により制御基板２０上に設けられたスイッチ５２を操作可能な機能ボタン８とを、液晶支持部１２を備えた作動フレーム体１１に一体成形している。したがって、操作方向の異なる複数種類のボタンを備えているにも拘わらず、部品点数の増加を抑えることができ、インターホン親機１の組み立て作業の簡素化を図ることができる。
【００１８】
また、操作部３４に補助突起３７、３７を設ける一方、前ケース２の後面に、後側へ突出する補助リブ１５、１５を設けており、インターホン親機１の組み立てに伴い、補助リブ１５、１５を補助突起３４、３４の本体ケース内側に近接させている。そして、当該補助リブ１５、１５が、連結片３６が破断していない状況では機能ボタン８の押し込み操作時に何ら関与しないものの、何れか一方の連結片３６が破断していると、機能ボタン８を押し込み操作した際に、破断した側の補助突起３７が補助リブ１５に接触するようにした。したがって、たとえ何れか一方の連結片３６が破断したとしても、機能ボタン８を押し込み操作した際に、破断した側の補助突起３７が補助リブ１５に接触することで、使用者にクリック感に似た操作感を与えることができる。
【００１９】
なお、本発明に係るインターホン機器は、上記実施形態の態様に何ら限定されるものではなく、インターホン機器の全体的な構成は勿論、ボタンに係る構成についても、本発明の趣旨を逸脱しない範囲で、必要に応じて適宜変更することができる。
【００２０】
たとえば、上記実施形態では、本体ケースの右側面に第２ボタンとして機能ボタンを設けているが、本体ケースの右側面ではなく、本体ケースの左側面や上面、下面に第２ボタンを設けても何ら問題はない。
また、本体ケースの周面に、第１ボタン及び第２ボタンとは更に押し込み操作の異なる第３ボタンを設けてもよいことは言うまでもない上、その第３ボタンを液晶支持部材に備えるか否かについては適宜設計変更可能である。
【００２１】
さらに、機能ボタンの本体ケース内側に位置させる補助リブについては、必ずしも設けなくともよい。
さらにまた、機能ボタンを支持する構成については、応答ボタン同様、支点リブを突設するような構成を採用することも可能であり、連結片等を用いた構成に限定されることはない。
加えて、上記実施形態では、インターホン機器の一例であるインターホン親機について説明しているが、液晶表示装置を内蔵しているとともに、操作方向の異なる複数のボタンを備えたものであれば、集合住宅で使用するインターホン機器等の他のインターホン機器であっても何ら問題はない。
【符号の説明】
【００２２】
１・・インターホン親機（インターホン機器）、２・・前ケース（本体ケース）、３・・後ケース（本体ケース）、４・・映像表示部、６・・応答ボタン（第１ボタン）、８・・機能ボタン（第２ボタン）、１０・・液晶表示装置、１１・・作動フレーム体（液晶支持部材）、１２・・液晶支持部、１５・・補助リブ、２０・・制御基板、２１・・基部、２２・・操作部（第１操作部）、２３・・操作突起、２４・・支点リブ（第１支点部）、３１・・基部、３２・・切り欠き、３３・・支持片（第２支点部）、３４・・操作部（第２操作部）、３５・・操作突起、３６・・連結片、３７・・補助突起、５１・・スイッチ（第１スイッチ）、５２・・スイッチ（第２スイッチ）。
【図１】
0006491987.tif 000002
【図２】
0006491987.tif 000003
【図３】
0006491987.tif 000004
【図４】
0006491987.tif 000005
【図５】
0006491987.tif 000006
【図６】
0006491987.tif 000007